(57)【要約】【課題】通信端末に近い送信機から発せられた文字情報を優先的に表示する通信端末を提供する。【解決手段】送信機２００−１〜送信機２００−３は、文字データを音波に変換して送信する。携帯電話機１００は、文字データに変換された音波を受信すると、受信した音波の強さを示す信号強度データと文字データとを対応付けて記憶する。携帯電話機１００は、記憶した信号強度データの中で最も強度の強い音波を示す信号強度データを抽出し、抽出した信号強度データに対応付けて記憶した文字データに基づいて文字列を表示する。【選択図】      図１
2004297188.tif 000002
【特許請求の範囲】
【請求項１】
文字データを示す音波を受ける受信手段と、
前記受信手段が受け取った音波から当該音波に対して予め対応付けられている文字データを生成する文字データ生成手段と、
前記受信手段が受け取った音波の強さを測定し、測定した音波の強さを示す強度データを生成する強度データ生成手段と、
前記文字データと前記強度データとを対応付けて記憶する記憶手段と、
前記記憶手段が記憶した文字データの中から、所定の強さを示す強度データに対応付けて記憶された文字データを抽出し、抽出した文字データに基づいて文字列を表示する文字列表示手段と
を有する通信端末。
【請求項２】
文字データを示す音波を受ける受信手段と、
前記受信手段が受け取った音波から当該音波に対して予め対応付けられている文字データを生成する文字データ生成手段と、
前記受信手段が受け取った音波の強さを測定し、測定した音波の強さを示す強度データを生成する強度データ生成手段と、
前記文字データと前記強度データとを対応付けて記憶する記憶手段と、
前記記憶手段が記憶した強度データに基づいて、前記記憶手段が記憶した文字データを順序付け、前記順序付けに従って、前記記憶手段が記憶した文字データが示す文字列を表示する文字列表示手段と
を有する通信端末。
【請求項３】
前記記憶手段が記憶した文字データと強度データとを一定の周期で消去する消去手段をさらに有することを特徴とする請求項１または請求項２に記載の通信端末。
【請求項４】
前記文字列はファイルの記憶場所を示す文字列であり、
前記文字列で指定される場所に記憶されたファイルを、当該ファイルを記憶しているサーバ装置から取得するファイル取得手段と、
前記ファイル取得手段が取得したファイルの内容に基づいて表示を行う表示手段と、
をさらに有する請求項１または請求項２に記載の通信端末。
【発明の詳細な説明】
【０００１】
【発明の属する技術分野】
本発明は、受信した文字データに基づいて表示を行う通信端末に関する。
【０００２】
【従来の技術】
電波を使用せずに文字情報を送信／受信する信号送受システムが知られている（例えば、特許文献１参照）。この信号送受システムに係わる送信機は、文字情報を示すデジタル信号をスペクトラム拡散変調方式により変調し、変調した信号を音響信号に変換してスピーカから送信する。受信機は、スピーカから送信された信号をマイクロフォンにて受け取ると、受け取った信号を復調した後に文字情報を抽出し、抽出した文字情報に従ってディスプレイに文字を表示させる。
【０００３】
特許文献１に開示されている技術を応用し、マイクロフォンを有する携帯電話機が、店舗に設置されたスピーカから配信される文字情報を受信するようにすれば、店舗の経営者は広告などの文字情報を配信することが可能となり、店先を通る者を店舗に導くことができる
【０００４】
【特許文献１】
特表２００１−５０８２６５号公報
【０００５】
【発明が解決しようとする課題】
ところで、上述した携帯電話機は、商店街のように複数の店舗が隣接して並ぶ場所では、多数の店舗から送信される広告を受信することとなる。この場合、携帯電話機が、受信した広告を全て同じ画面に表示すると、表示される画面は煩雑なものになり、携帯電話機の使用者が広告を見ようとする意欲を薄めてしまう。また、携帯電話機の使用者は、どの広告がどの店舗から送信されたのか認識しづらくなり、店先を通る者を店舗に導くという効果が薄れてしまう虞がある。
【０００６】
携帯電話機が複数の広告を受信した場合でも店先を通る者を店舗に導くという効果を得るには、携帯電話機の使用者が広告を送信した店舗を見つけやすいように、携帯電話機に近い送信機から発せられた広告が優先的に表示されることが望ましい。
【０００７】
本発明は、上述した事情に鑑みてなされたものであり、通信端末に近い送信機から発せられた文字情報を優先的に表示する通信端末を提供することを目的とする。
【０００８】
【課題を解決するための手段】
上述した課題を解決するために本発明は、文字データを示す音波を受ける受信手段と、前記受信手段が受け取った音波から当該音波に対して予め対応付けられている文字データを生成する文字データ生成手段と、前記受信手段が受け取った音波の強さを測定し、測定した音波の強さを示す強度データを生成する強度データ生成手段と、前記文字データと前記強度データとを対応付けて記憶する記憶手段と、前記記憶手段が記憶した文字データの中から、所定の強さを示す強度データに対応付けて記憶された文字データを抽出し、抽出した文字データに基づいて文字列を表示する文字列表示手段とを有する通信端末を提供する。
【０００９】
本発明によれば、通信端末は、文字データを示す音波を受けると、受け取った音波から、音波に対して予め対応付けられている文字データと、受け取った音波の強さを示す信号強度データとを生成し、文字データと信号強度データとを対応付けて記憶する。通信端末は、記憶した信号強度データの中で所定の強さを示す信号強度データを抽出し、抽出した信号強度データに対応付けて記憶した文字データに基づいて文字列を表示する。
【００１０】
また本発明は、文字データを示す音波を受ける受信手段と、前記受信手段が受け取った音波から当該音波に対して予め対応付けられている文字データを生成する文字データ生成手段と、前記受信手段が受け取った音波の強さを測定し、測定した音波の強さを示す強度データを生成する強度データ生成手段と、前記文字データと前記強度データとを対応付けて記憶する記憶手段と、前記記憶手段が記憶した強度データに基づいて、前記記憶手段が記憶した文字データを順序付け、前記順序付けに従って、前記記憶手段が記憶した文字データが示す文字列を表示する文字列表示手段とを有する通信端末を提供する。
【００１１】
本発明によれば、通信端末は、文字データを示す音波を受けると、受け取った音波から、音波に対して予め対応付けられている文字データと、受け取った音波の強さを示す信号強度データとを生成し、文字データと信号強度データとを対応付けて記憶する。通信端末は、記憶した信号強度データを順序付け、信号強度データに対応付けて記憶された文字データが示す文字列を、この順序付けに従って表示する。
【００１２】
【発明の実施の形態】
以下、図面を参照して本発明に係る実施形態について説明する。
【００１３】
［１．実施形態の構成］
［１−１．全体構成］
図１は、本発明の実施形態に係わる通信システムの全体構成を例示するブロック図である。この通信システムは、携帯電話機１００と、送信機２００−１〜送信機２００−３と、店舗３００−１〜店舗３００−３と、移動体通信網４００と、インターネット５００と、サーバ装置６００とを有している。この通信システムには、多数の携帯電話機、送信機、店舗およびサーバ装置が存在するが、図面が煩雑になるのを防ぐために、図１には、携帯電話機１００と、送信機２００−１〜送信機２００−３と、店舗３００−１〜店舗３００−３と、サーバ装置６００のみを示す。
【００１４】
移動体通信網４００は、これを運用する通信事業者との間で加入契約を結んだ加入契約者に対して音声通話サービスやデータ通信サービスを提供する通信網である。この移動体通信網４００は、携帯電話機１００と無線通信を行う無線基地局と、無線基地局に接続された交換機と、交換機に接続された関門交換機と、関門交換機およびインターネット５００に接続されたゲートウェイサーバ装置とを有しており（いずれも図示略）、インターネット５００に接続されている装置と携帯電話機１００との間で行われるデータ通信を中継する。
【００１５】
サーバ装置６００は、例えばＨＴＴＰ（ＨｙｐｅｒＴｅｘｔ  Ｔｒａｎｓｆｅｒ  Ｐｒｏｔｏｃｏｌ）などの通信プロトコルに従って通信を行い、クライアント装置との間でデータやメッセージの授受などを行う一般的なＷＷＷサーバ装置と同様の構成および機能を有している。このサーバ装置６００は、図示を省略した記憶部を有しており、ＨＴＭＬ（ＨｙｐｅｒＴｅｘｔ  Ｍａｒｋｕｐ  Ｌａｎｇｕａｇｅ）に従って記述されたテキストファイルＦ１１〜テキストファイルＦ１３を記憶している。テキストファイルＦ１１には、店舗３００−１で販売されている商品を紹介する文章が記述されている。このテキストファイルＦ１１が、ＨＴＭＬを解釈可能なＷＷＷブラウザにより解釈されると、店舗３００−１で販売されている商品を紹介するページが、ＷＷＷブラウザが実現されているコンピュータ装置の表示部に表示される。また、テキストファイルＦ１１と同様に、テキストファイルＦ１２には店舗３００−２で販売されている商品を紹介する文章が、テキストファイルＦ１３には店舗３００−３で販売されている商品を紹介する文章が記述されている。サーバ装置６００は、自身が記憶しているテキストファイルを要求する旨のリクエストメッセージを受信すると、要求されたテキストファイルを、リクエストメッセージを送信してきたクライアント装置へ送信する。
【００１６】
送信機２００−１〜送信機２００−３は、図示を省略したスピーカを具備しており、文字を示す文字データを音響信号に変換してスピーカから送信する機能を有している。ここで、送信機２００−１〜送信機２００−３は、各々同じ構成であるため、以下、個々の送信機を特に区別する必要の無い場合、送信機２００と略称する。送信機２００−１は、店舗３００−１の店頭に設置されており、送信機２００−２は店舗３００−２の店頭に、送信機２００−３は店舗３００−３の店頭に設置されている。
【００１７】
携帯電話機１００は、移動体通信網４００が提供する音声通話サービスやデータ通信サービスを受けることが可能な一般的な携帯電話機と同じ構成・機能を有している。この携帯電話機１００は、送信機２００から送信された音響信号を受信し、受信した音響信号から文字データを抽出する機能を有している。
【００１８】
［１−２．送信機の構成］
次に送信機２００の構成について説明する。図２は、送信機２００のハードウェア構成を例示するブロック図である。図２に示された送信機２００の各部は、バス２０１を介して各部間で信号の授受を行う。
【００１９】
操作部２０６は、送信機２００を操作するための複数のキー（図示略）を有している。送信機２００の使用者が、この操作部２０６が有するキーを押下すると、押下されたキーを示す信号がＣＰＵ（Ｃｅｎｔｒａｌ  Ｐｒｏｃｅｓｓｉｎｇ  Ｕｎｉｔ）２０２へ供給される。表示部２０７は、ＣＰＵ２０２の制御の下、文字やグラフィック画面、送信機２００を操作するためのメニュー画面などを表示する。記憶部２０５は、例えば、データを永続的に記憶するハードディスク装置を有しており（図示略）、ＣＰＵ２０２が使用するデータを記憶する。
【００２０】
音響信号送信部２０８は、スピーカを有しており、ＣＰＵ２０２から供給される文字データをスペクトラム拡散変調により、音響信号に変換し、変換した信号をスピーカから送信する。音響信号送信部２０８のハードウェア構成を図３に例示する。拡散部２０８Ａは、ＣＰＵ２０２からバス２０１を介して供給された文字データをスペクトラム拡散変調により音響信号に変換し、生成した音響信号を増幅部２０８Ｂへ供給する。増幅部２０８Ｂは、拡散部２０８Ａで生成された音響信号を増幅し、スピーカ２０８Ｃへ供給する。スピーカ２０８Ｃは、増幅部２０８Ｂから供給された音響信号を音波に変換し空気中に放射する。
【００２１】
ＲＯＭ（Ｒｅａｄ  Ｏｎｌｙ  Ｍｅｍｏｒｙ）２０３は、送信機２００の各部を制御するための制御プログラムを記憶している。ＣＰＵ２０２は、図示を省略した電源から電力が供給されると、ＲＯＭ２０３からＯＳソフトウェアを読み出して起動し、ＲＡＭ（Ｒａｎｄｏｍ  Ａｃｃｅｓｓ  Ｍｅｍｏｒｙ）２０４を作業エリアとして送信機２００の各部の制御を行う。
【００２２】
制御プログラムを起動したＣＰＵ２０２は、使用者の指示に応じて各部の制御を行う。例えば送信機２００の使用者が、操作部２０６が有するキーを用い、例えば、文字列としてＵＲＬ（Ｕｎｉｆｏｒｍ  Ｒｅｓｏｕｒｃｅ  Ｌｏｃａｔｏｒ）を入力した後、入力したＵＲＬを記憶部２０５に記憶させるように指示する旨の操作を行うと、ＣＰＵ２０２は、入力された文字列（ＵＲＬ）を、例えば、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コード体系に従ってデジタルデータに変換し、変換したデータを、文字列を示す文字データとして記憶部２０５に記憶させる
【００２３】
また、制御プログラムを起動したＣＰＵ２０２は、記憶部２０５に記憶された文字データを一定の周期（例えば１秒毎）で読み出し、読み出した文字データを音響信号送信部２０８へ供給する。ＣＰＵ２０２が文字データを一定の周期で音響信号送信部２０８へ供給することにより、スピーカ２０８Ｃから一定の周期で音波が放射される。
【００２４】
［１−３．携帯電話機の構成］
次に携帯電話機１００の構成について説明する。図４は、携帯電話機１００のハードウェア構成を例示するブロック図である。図４に示された携帯電話機１００の各部は、バス１０１を介して各部間で信号の授受を行う。
【００２５】
通信部１０６は、通信インターフェースとしての機能を有しており、ＣＰＵ１０２の制御の下、図示を省略したアンテナを介して、移動体通信網４００の無線基地局との間で無線通信を行う。また、通信部１０６は、無線基地局から送信された信号を、ＣＰＵ１０２へ供給する一方、ＣＰＵ１０２から出力された信号を無線基地局へ送信する。
【００２６】
操作部１０７は、携帯電話機１００を操作するための複数のキー（図示略）を有している。携帯電話機１００の使用者が、この操作部１０７が有するキーを押下すると、押下されたキーを示す信号がＣＰＵ１０２へ供給される。表示部１０８は、ＣＰＵ１０２の制御の下、文字やグラフィック画面、携帯電話機１００を操作するためのメニュー画面などを表示する。記憶部１０５は、データを永続的に記する不揮発性メモリ（図示略）を有しており、ＣＰＵ１０２が携帯電話機１００の各部を制御する際に使用するデータを記憶する。また、記憶部１０５は、ＡＳＣＩＩコード表と同様の、デジタルデータと文字との対応関係を格納した文字テーブルを記憶している。
【００２７】
音響信号受信部１０９は、送信機２００が空気中に放射した音波を、図示を省略したマイクロフォンで受け取ると、受け取った音波を復調し、送信機２００が送り出した文字データを抽出してＣＰＵ１０２へ供給する。この音響信号受信部１０９のハードウェア構成を図５に例示する。
【００２８】
マイクロフォン１０９Ａは、音波をアナログ信号に変換する一般的なマイクロフォンと同様の構成を具備しており、生成したアナログ信号を増幅部１０９Ｂへ供給する。増幅部１０９Ｂは、アナログ信号を増幅する増幅回路を具備しており、マイクロフォン１０９Ａから供給されたアナログ信号を増幅し、増幅した信号をＡ／Ｄ変換部１０９Ｃと信号強度測定部１０９Ｅへ供給する。
【００２９】
Ａ／Ｄ変換部１０９Ｃは、アナログ信号をデジタル信号に変換する変換回路を具備しており、増幅部１０９Ｂから供給されたアナログ信号をデジタル信号に変換し、変換したデジタル信号をメッセージ再生部１０９Ｄへ供給する。メッセージ再生部１０９Ｄは、Ａ／Ｄ変換部１０９Ｃから供給されたデジタル信号に対して、送信機２００が文字データをスペクトラム拡散変調する際に用いた疑似雑音と同じ疑似雑音を用いて逆拡散処理を施すことにより、送信機２００がスペクトラム拡散変調した文字データを抽出し、抽出した文字データをデータ送出部１０９Ｆへ供給する。
【００３０】
信号強度測定部１０９Ｅは、入力されたアナログ信号の電圧値を測定し、測定した電圧値を示すデータを生成する回路を具備しており、生成したデータを、マイクロフォンに入力された音波の強さを示す信号強度データとしてデータ送出部１０９Ｆへ供給する。データ送出部１０９Ｆは、メッセージ再生部１０９Ｄから供給された文字データと信号強度測定部１０９Ｅから供給された信号強度データとをＣＰＵ１０２へ供給する機能を有している。データ送出部１０９Ｆは、文字データがメッセージ再生部１０９Ｄから供給されると、このデータと、文字データが供給された時に信号強度測定部１０９Ｅから供給された信号強度データとをＣＰＵ１０２へ供給する。
【００３１】
ＲＯＭ１０３は、携帯電話機１００の各部を制御するためのＯＳソフトウェアや、ＨＴＭＬに従って記述されたテキストファイルを解釈してページを表示する一般的なＷＷＷブラウザを実現させるためのＷＷＷブラウザプログラムなどを記憶している。ＣＰＵ１０２は、図示を省略した電源から電力が供給されると、ＲＯＭ１０３からＯＳソフトウェアを読み出して起動し、ＲＡＭ１０４を作業エリアとして携帯電話機１００の各部の制御を行う。このように携帯電話機１００は、プログラムに従って各部を制御するという意味において、一般的なコンピュータ装置と同様の構成を有していると言える。
【００３２】
ＯＳソフトウェアを起動したＣＰＵ１０２は、音響信号受信部１０９から文字データが供給されると、以下に説明する処理を行い、供給された文字データが示す文字列を表示部１０８に表示させる。図６は、ＣＰＵ１０２が行うこの処理の流れを例示するフローチャートである。ＣＰＵ１０２は、文字データと信号強度データとが供給されると（ステップＳＡ１；ＹＥＳ）、供給された文字データと信号強度データとを対応付けてＲＡＭ１０４に記憶させる（ステップＳＡ２）。ＣＰＵ１０２は、一定の時間が経過したか否か判断し、一定の時間が経過するまでの間は、ステップＳＡ１からステップＳＡ３の処理を繰り返す。ＣＰＵ１０２は、一定の時間が経過すると（ステップＳＡ３；ＹＥＳ）、ＲＡＭ１０４に記憶された信号強度データの中から値が最も大きな信号強度データを抽出し、抽出した信号強度データに対応付けて記憶された文字データを読み出す（ステップＳＡ４）。ＣＰＵ１０２は、文字データを読み出すと、記憶部１０５が記憶している文字テーブルに基づいて、読み出した文字データが示す文字列を特定し、特定した文字列を表示部１０８に表示させる。
【００３３】
［２．動作例］
次に上述した実施形態の動作例について説明する。なお、以下に説明する動作例においては、送信機２００−１は、文字データとして、テキストファイルＦ１１のＵＲＬ「ｈｔｔｐ：／／ｗｗｗ．ａａａａ．ｎｅ．ｊｐ／ｔｅｎｐｏＡ」を、送信機２００−２は、文字データとして、テキストファイルＦ１２のＵＲＬ「ｈｔｔｐ：／／ｗｗｗ．ａａａａ．ｎｅ．ｊｐ／ｔｅｎｐｏＢ」を、送信機２００−３は、文字データとして、テキストファイルＦ１３のＵＲＬ「ｈｔｔｐ：／／ｗｗｗ．ａａａａ．ｎｅ．ｊｐ／ｔｅｎｐｏＣ」を記憶している場合を想定する。また、以下に説明する動作例においては、携帯電話機の使用者は、図７に示した場所に位置しており、ＣＰＵ１０２へ供給される信号強度データの値は、送信機２００−１から送信される音波を受信した時が最も大きく、送信機２００−３から送信される音波を受信した時が最も小さい場合を想定する。
【００３４】
送信機２００−１のＣＰＵ２０２は、一定の時間が経過すると、記憶部２０５に記憶されている文字データ「ｈｔｔｐ：／／ｗｗｗ．ａａａａ．ｎｅ．ｊｐ／ｔｅｎｐｏＡ」を読み出し、読み出した文字データを音響信号送信部２０８へ供給する。音響信号送信部２０８へ供給された文字データは、拡散部２０８Ａにてスペクトラム拡散変調により音響信号に変換された後、増幅部２０８Ｂへ供給される。この音響信号は、増幅部２０８Ｂへ供給されて増幅された後、スピーカ２０８Ｃへ供給され、音波に変換されて空気中に放射される。
【００３５】
携帯電話機１００が有するマイクロフォン１０９Ａが、スピーカ２０８Ｃから空気中に放射された音波を受け取ると、マイクロフォン１０９Ａが受け取った音波はアナログ信号に変換されて増幅部１０９Ｂへ供給される。このアナログ信号は、増幅部１０９Ｂで増幅された後、Ａ／Ｄ変換部１０９Ｃと信号強度測定部１０９Ｅへ供給される。
【００３６】
Ａ／Ｄ変換部１０９Ｃに供給された信号は、デジタル信号に変換された後、メッセージ再生部１０９Ｄへ供給される。メッセージ再生部１０９Ｄは、供給されたデジタル信号に対して、送信機２００が文字データをスペクトラム拡散変調する際に用いた疑似雑音と同じ疑似雑音を用いて逆拡散処理を施し、送信機２００がスペクトラム拡散変調した文字データ「ｈｔｔｐ：／／ｗｗｗ．ａａａａ．ｎｅ．ｊｐ／ｔｅｎｐｏＡ」を抽出し、抽出した文字データをデータ送出部１０９Ｆへ供給する。
【００３７】
信号強度測定部１０９Ｅでは、増幅部１０９Ｂから供給されたアナログ信号の電圧値が、例えば「１Ｖ」と測定される。信号強度測定部１０９Ｅは、この測定された電圧値を示すデータを、マイクロフォンに入力された音波の強さを示す信号強度データとしてデータ送出部１０９Ｆへ供給する。データ送出部１０９Ｆは、文字データ「ｈｔｔｐ：／／ｗｗｗ．ａａａａ．ｎｅ．ｊｐ／ｔｅｎｐｏＡ」と信号強度データ「１Ｖ」とが供給されると、これらのデータをＣＰＵ１０２へ供給する。ＣＰＵ１０２は、文字データと信号強度データとが供給されると（図６：ステップＳＡ１；ＹＥＳ）、供給された文字データと信号強度データとを対応付けてＲＡＭ１０４に記憶させる（ステップＳＡ２）。
【００３８】
次に送信機２００−２のＣＰＵ２０２が、記憶部２０５に記憶されている文字データ「ｈｔｔｐ：／／ｗｗｗ．ａａａａ．ｎｅ．ｊｐ／ｔｅｎｐｏＢ」を読み出し、読み出した文字データを音響信号送信部２０８へ供給すると、この文字データは音響信号に変換された後、増幅部２０８Ｂで増幅されスピーカ２０８Ｃにて音波に変換されて空気中に放射される。
【００３９】
携帯電話機１００が有するマイクロフォン１０９Ａが、この音波を受け取ると、この音波はアナログ信号に変換されて増幅部１０９Ｂへ供給され、増幅部１０９Ｂで増幅された後、Ａ／Ｄ変換部１０９Ｃと信号強度測定部１０９Ｅへ供給される。Ａ／Ｄ変換部１０９Ｃに供給された信号は、デジタル信号に変換された後、メッセージ再生部１０９Ｄへ供給される。メッセージ再生部１０９Ｄは、供給されたデジタル信号に対して逆拡散処理を施し、送信機２００がスペクトラム拡散変調した文字データ「ｈｔｔｐ：／／ｗｗｗ．ａａａａ．ｎｅ．ｊｐ／ｔｅｎｐｏＢ」を抽出し、抽出した文字データをデータ送出部１０９Ｆへ供給する。
【００４０】
信号強度測定部１０９Ｅでは、増幅部１０９Ｂから供給されたアナログ信号の電圧値が、例えば「０．５Ｖ」と測定される。信号強度測定部１０９Ｅでは、この測定された電圧値を示すデータを、マイクロフォンに入力された音波の強さを示す信号強度データとしてデータ送出部１０９Ｆへ供給する。データ送出部１０９Ｆは、文字データ「ｈｔｔｐ：／／ｗｗｗ．ａａａａ．ｎｅ．ｊｐ／ｔｅｎｐｏＢ」と信号強度データ「０．５Ｖ」とが供給されると、これらのデータをＣＰＵ１０２へ供給する。ＣＰＵ１０２は、文字データと信号強度データとが供給されると（ステップＳＡ１；ＹＥＳ）、供給された文字データと信号強度データとを対応付けてＲＡＭ１０４に記憶させる（ステップＳＡ２）。
【００４１】
次に送信機２００−３のＣＰＵ２０２が、記憶部２０５に記憶されている文字データ「ｈｔｔｐ：／／ｗｗｗ．ａａａａ．ｎｅ．ｊｐ／ｔｅｎｐｏＣ」を読み出し、読み出した文字データを音響信号送信部２０８へ供給すると、この文字データは音響信号に変換された後、増幅部２０８Ｂで増幅されスピーカ２０８Ｃにて音波に変換されて空気中に放射される。
【００４２】
携帯電話機１００が有するマイクロフォン１０９Ａが、この音波を受け取ると、この音波はアナログ信号に変換されて増幅部１０９Ｂへ供給され、増幅部１０９Ｂで増幅された後、Ａ／Ｄ変換部１０９Ｃと信号強度測定部１０９Ｅへ供給される。Ａ／Ｄ変換部１０９Ｃに供給された信号は、デジタル信号に変換された後、メッセージ再生部１０９Ｄへ供給される。メッセージ再生部１０９Ｄは、供給されたデジタル信号に対して逆拡散処理を施し、送信機２００がスペクトラム拡散変調した文字データ「ｈｔｔｐ：／／ｗｗｗ．ａａａａ．ｎｅ．ｊｐ／ｔｅｎｐｏＣ」を抽出し、抽出した文字データをデータ送出部１０９Ｆへ供給する。
【００４３】
信号強度測定部１０９Ｅでは、増幅部１０９Ｂから供給されたアナログ信号の電圧値が、例えば「０．２Ｖ」と測定される。信号強度測定部１０９Ｅでは、この測定された電圧値を示すデータを、マイクロフォンに入力された音波の強さを示す信号強度データとしてデータ送出部１０９Ｆへ供給する。データ送出部１０９Ｆは、文字データ「ｈｔｔｐ：／／ｗｗｗ．ａａａａ．ｎｅ．ｊｐ／ｔｅｎｐｏＣ」と信号強度データ「０．２Ｖ」とが供給されると、これらのデータをＣＰＵ１０２へ供給する。ＣＰＵ１０２は、文字データと信号強度データとが供給されると（ステップＳＡ１；ＹＥＳ）、供給された文字データと信号強度データとを対応付けてＲＡＭ１０４に記憶させる（ステップＳＡ２）。
【００４４】
この時点で、ＲＡＭ１０４には、図８に例示したように、文字データと信号強度データとが対応付けて記憶されている。
【００４５】
次に携帯電話機１００のＣＰＵ１０２は、一定の時間が経過したと判断すると（ステップＳＡ３；ＹＥＳ）、ＲＡＭ１０４に記憶された信号強度データの中で、信号強度データが示す値が最大の信号強度データ「１Ｖ」を抽出する（ステップＳＡ４）。ＣＰＵ１０２は、信号強度データを読み出すと、この信号強度データに対応付けてＲＡＭ１０４に記憶された文字データ「ｈｔｔｐ：／／ｗｗｗ．ａａａａ．ｎｅ．ｊｐ／ｔｅｎｐｏＡ」を読み出し、読み出した文字データが示す文字列を、図９に例示したように表示部１０８に表示させる（ステップＳＡ５）。ＣＰＵ１０２は、文字列を表示部１０８に表示させると、ＲＡＭ１０４に記憶させた信号強度データと文字データとを消去する（ステップＳＡ６）。
【００４６】
図９に例示した画面を見た携帯電話機１００の使用者が、操作部１０７が有するキーを操作し、表示部１０８に表示されたＵＲＬをクリックする旨の操作を行うと、ＣＰＵ１０２は、ＲＯＭ１０３からＷＷＷブラウザプログラムを読み出して起動する。ＣＰＵ１０２は、ＷＷＷブラウザプログラムを起動すると、通信部１０６を制御し、表示されたＵＲＬをパラメータとして内包する、ＧＥＴメソッドを用いたリクエストメッセージを送信する。
【００４７】
このメッセージは、移動体通信網４００およびインターネット５００を介してサーバ装置６００へ送信される。サーバ装置６００は、このリクエストメッセージを受信すると、パラメータとして内包されたＵＲＬで識別されるテキストファイルＦ１１を記憶部から読み出す。次にサーバ装置６００は、読み出したテキストファイルＦ１１を内包するレスポンスメッセージを生成し、生成したメッセージを、携帯電話機１００を宛先として送信する。
【００４８】
このレスポンスメッセージが携帯電話機１００にて受信されると、ＣＰＵ１０２は、このレスポンスメッセージに内包されたテキストファイルＦ１１を抽出する。抽出されたテキストファイルＦ１１が、実現されたＷＷＷブラウザにより解釈されると、図１０に例示したように、店舗３００−１で販売されている商品を紹介するページが表示部１０８に表示される。
【００４９】
このように本実施形態によれば、携帯電話機１００は、携帯電話機１００に近い店舗から送信された文字情報を優先して表示するため、携帯電話機１００の使用者は表示される文字情報と店舗との対応を取りやすくなる。また文字情報と店舗との対応が取りやすくなるため、広告の効果が薄れてしまう問題を解消することが可能となる。また本実施形態によれば、携帯電話機１００は、受信した文字情報に基づいて、サーバ装置６００からテキストファイルを取得するので、文字列だけでなく、画像をも含む広告情報を受信することが可能となり、より広告の効果を高めることが可能となる。また本実施形態では、一定の周期でデータを消去し、周期的に表示する文字列を更新する。これにより、携帯電話機１００は、携帯電話機１００の使用者が移動した場合でも、使用者に近い店舗から送信された文字情報を優先して表示する。
【００５０】
［３．変形例］
本発明は、係る実施形態に限定されるものではない。以下、上述した実施形態の変形例について述べる。
【００５１】
上述した実施形態では、文字データが示す文字列はＵＲＬであるが、文字データが示す文字列はＵＲＬだけでなく他の文字列であってもよい。
【００５２】
上述した実施形態では、携帯電話機１００の使用者が操作を行ったことを契機として、携帯電話機１００はサーバ装置６００からテキストファイルを取得するが、使用者の操作を必要とせず、携帯電話機１００が自動的にサーバ装置６００からテキストファイルを取得するようにしてもよい。
【００５３】
送信機２００を設置する場所は、上述した実施形態のように店舗に限定されるものではない。例えば、送信機２００を博物館などの公共施設に設置し、展示物を説明する文字列を送信するようにしてもよい。
【００５４】
文字データをスピーカから発する方法は、上述した実施形態の態様に限定されるものではない。心理音響モデルを利用して、文字データを聴覚的には聞こえない音響信号に変換し、この音響信号を音波に変換して空気中に放射するようにしてもよい。また、拡散部２０８Ａで生成された音響信号と、音楽または人間の音声を示す音響信号とを混合し、この混合した音響信号を増幅部２０８Ｂで増幅し、スピーカ２０８Ｃにてこの音響信号を音波に変換して空気中に放射するようにしてもよい。
【００５５】
携帯電話機１００のＣＰＵ１０２は、周期的に図６に示した処理を行わずに、使用者が指示した時にのみ、図６に示した処理を行うようにしてもよい。
【００５６】
上述した実施形態では、値が最も大きな信号強度データに対応付けられた文字データに従って文字列が表示される態様となっているが、信号強度データが示す値に従って、信号強度データに対応付けて記憶された文字列データを順番づけ、この順番と文字列とを対応付けて表示するようにしてもよい。また、携帯電話機１００は、この順番に従って文字列を順次切替えて表示するようにしてもよい。このような態様によれば、携帯電話機１００の使用者は、携帯電話機１００に表示される文字列と、文字データを送信した店舗までの距離関係を知ることが可能となり、文字情報と店舗との対応を取りやすくなる。
【００５７】
音の強さの測定は、上述した実施形態の方法に限定されるものではなく、一般的な騒音計で用いられている方法、および周知の回路を用いて測定するようにしてもよい。
【００５８】
携帯電話機１００は、ＵＲＬを表示する際に報知音を発生させ、ＵＲＬを表示したことを携帯電話機１００の使用者へ知らせるようにしてもよい。
【００５９】
上述した実施形態では、最も強い強さを示す信号強度データに対応付けて記憶された文字データに基づいて文字列の表示が行われているが、所定の強さを示す信号強度データ、例えば、最も大きな値を示す信号強度データや、最大値からある程度の範囲内の値を示す信号強度データ、またはある強さの範囲内に入る信号強度データに対応付けて記憶された文字データに基づいて文字列の表示を行うようにしてもよい。
【００６０】
音波を受け取る通信端末は、携帯電話機に限定されるものではない。マイクロフォンを有し、無線通信によりサーバ装置と通信を行うことが可能な端末であれば、ＰＤＡ（Ｐｅｒｓｏｎａｌ  Ｄｉｇｉｔａｌ  Ａｓｓｉｓｔａｎｃｅ）や携帯型のパーソナルコンピュータなど、他の携帯型の通信端末であってもよい。
【００６１】
【発明の効果】
以上説明したように本発明によれば、通信端末は、当該通信端末に近い送信機から発せられた文字情報を優先的に表示することが可能となる。
【図面の簡単な説明】
【図１】本発明の実施形態に係わる通信システムの全体構成を例示する図である。
【図２】同実施形態に係わる送信機２００のハードウェア構成を例示するブロック図である。
【図３】同送信機２００の音響信号送信部２０８のハードウェア構成を例示するブロック図である。
【図４】同実施形態に係わる携帯電話機１００のハードウェア構成を例示するブロック図である。
【図５】同携帯電話機の音響信号受信部１０９のハードウェア構成を例示するブロック図である。
【図６】同携帯電話機のＣＰＵ１０２が行う処理の流れを例示するフローチャートである。
【図７】同実施形態の動作例を説明するための図である。
【図８】ＲＡＭ１０４に格納されたデータを例示する図である。
【図９】表示部１０８に表示される画面を例示する図である。
【図１０】表示部１０８に表示される画面を例示する図である。
【符号の説明】
１００−１〜１００−３・・・携帯電話機
１０１・・・バス、１０２・・・ＣＰＵ、１０３・・・ＲＯＭ、１０４・・・ＲＡＭ、１０５・・・記憶部、１０６・・・通信部、１０７・・・操作部、１０８・・・表示部、１０９・・・音響信号受信部、１０９Ａ・・・マイクロフォン、１０９Ｂ・・・増幅部、１０９Ｃ・・・Ａ／Ｄ変換部、１０９Ｄ・・・メッセージ再生部、１０９Ｅ・・・信号強度測定部、１０９Ｆ・・・データ送出部
２００−１〜２００−３・・・送信機
２０１・・・バス、２０２・・・ＣＰＵ、２０３・・・ＲＯＭ、２０４・・・ＲＡＭ、２０５・・・記憶部、２０６・・・操作部、２０７・・・表示部、２０８・・・音響信号送信部、２０８Ａ・・・拡散部、２０８Ｂ・・・増幅部、２０８Ｃ・・・スピーカ
３００−１〜３００−３・・・店舗
４００・・・インターネット
５００・・・サーバ装置
【図１】
2004297188.tif 000003
【図２】
2004297188.tif 000004
【図３】
2004297188.tif 000005
【図４】
2004297188.tif 000006
【図５】
2004297188.tif 000007
【図６】
2004297188.tif 000008
【図７】
2004297188.tif 000009
【図８】
2004297188.tif 000010
【図９】
2004297188.tif 000011
【図１０】
2004297188.tif 000012